(57)【要約】【課題】  より少ないスペースで設置可能な画像形成装置を提供する。【解決手段】  本発明は、媒体に画像形成を行う画像形成手段と、画像形成手段に関連するケーブルのケーブル側コネクタの挿入を受ける装置側コネクタとを備える画像形成装置に関する。そして、本発明の画像形成装置は、画像形成手段は媒体を搬送する媒体搬送路を有し、媒体搬送路上を通過する媒体に画像形成を行い、装置側コネクタは、媒体搬送路の下側で、媒体搬送路上の媒体搬送方向と交差する方向に、ケーブル側コネクタの挿入を受けるように配置されていることを特徴とする。【選択図】      図１
2018134752.tif 000002
【特許請求の範囲】
【請求項１】
媒体に画像形成を行う画像形成手段と、前記画像形成手段に関連するケーブルのケーブル側コネクタの挿入を受ける装置側コネクタとを備える画像形成装置において、
前記画像形成手段は、媒体を搬送する媒体搬送路を有し、前記媒体搬送路上を通過する媒体に画像形成を行い、
前記装置側コネクタは、前記媒体搬送路の下側で、前記媒体搬送路上の媒体搬送方向と交差する方向に、前記ケーブル側コネクタの挿入を受けるように配置されている
ことを特徴とする画像形成装置。
【請求項２】
電源と接続し、当該画像形成装置に電力供給を行う電源部をさらに備え、
前記ケーブルは前記電源と接続したケーブルであり、
前記装置側コネクタは、前記電源部に前記ケーブルを接続させるものである
ことを特徴とする請求項１に記載の画像形成装置。
【請求項３】
前記電源部及び前記画像形成手段は筐体内に収納されており、
前記筐体で、前記装置側コネクタが配置された第１の面には、凹部が形成されており、前記凹部の内側面に前記装置側コネクタが配置されている
ことを特徴とする請求項２に記載の画像形成装置。
【請求項４】
前記凹部は、前記第１の面に隣接する第２の面まで延在していることを特徴とする請求項３に記載の画像形成装置。
【請求項５】
前記凹部の内部には、前記電源部に対応する位置に前記凹部の底面から張り出した張り出し部が形成されており、
前記張り出し部の下面に通気用多孔が形成されており、
前記張り出し部の下面の下側には通気可能な通気空間が設けられていること
を特徴とする請求項４に記載の画像形成装置。
【請求項６】
前記張り出し部の下面は、上方向に傾斜したテーパ形状となっていることを特徴とする請求項５に記載の画像形成装置。
【請求項７】
前記筐体で前記第１の面に隣接する第３の面において、前記電源部に対応する位置に通気用多孔が形成されており、
前記凹部は、前記第３の面の前記通気用多孔の領域まで延在していること
を特徴とする請求項５又は６に記載の画像形成装置。
【請求項８】
前記電源部は電源基板を用いて構成されており、
前記電源基板は立設するように配置されており、
前記装置側コネクタは、前記電源基板の厚さ方向に前記ケーブル側コネクタの挿入を受けるように構成されている
ことを特徴とする請求項２に記載の画像形成装置。
【請求項９】
媒体を搬送する媒体搬送装置において、
媒体搬送路に媒体を搬送する媒体搬送手段と、
外部に繋がる電気信号ケーブルが持つケーブル側コネクタと接続する装置側コネクタと、
前記装置側コネクタを介して受け付けた電気信号を用いて前記媒体搬送手段を動作させる基板とを有し、
前記装置側コネクタは前記装置側コネクタの鉛直上側に前記媒体搬送路の少なくとも一部が配置され、前記媒体搬送路の鉛直下側で前記ケーブル側コネクタを前記媒体搬送路の媒体搬送方向と交差する方向に着脱可能に配置されている
ことを特徴とする媒体搬送装置。
【請求項１０】
前記装置側コネクタ及び前記ケーブル側コネクタの上側にある前記媒体搬送路上には、前記媒体搬送路を搬送する媒体をカットするカット部と、当該カット部近傍の前記媒体搬送路を開閉可能なカバー部が備えられていることを特徴とする請求項９に記載の媒体搬送装置。
【発明の詳細な説明】
【技術分野】
【０００１】
本発明は、画像形成装置及び媒体搬送装置に関し、例えば、電源に接続する電源コネクタを備えるプリンタに適用し得る。
【背景技術】
【０００２】
従来のプリンタ等の画像形成装置では、通常、特許文献１に記載されているように、装置背面に電源ケーブルのコネクタ挿入を受ける装置側コネクタが配置されている。
【先行技術文献】
【特許文献】
【０００３】
【特許文献１】特開２０１３−１１４１７６号公報
【発明の概要】
【発明が解決しようとする課題】
【０００４】
ところで、従来のプリンタ等の画像形成装置では、装置背面の装置側コネクタに電源ケーブルのコネクタが挿入されると、当該ケーブルが装置の外側方向に張り出した状態となる。
【０００５】
そのため、従来の画像形成装置では、電源ケーブル（電源コネクタを含む）と設置場所の壁とが干渉しないように、電源ケーブルが外側に張り出す分、壁との隙間をあけて設置する必要があった。したがって、従来の画像形成装置では、電源ケーブルが張り出した分、設置場所の壁との間に隙間を設ける必要があるため、狭小なスペース（当該隙間が確保できない狭いスペース）に設置できない場合があった。
【０００６】
上述のような問題に鑑みて、より少ないスペースで設置可能な画像形成装置及び媒体搬送装置が望まれている。
【課題を解決するための手段】
【０００７】
第１の本発明は、媒体に画像形成を行う画像形成手段と、前記画像形成手段に関連するケーブルのケーブル側コネクタの挿入を受ける装置側コネクタとを備える画像形成装置において、（１）前記画像形成手段は、媒体を搬送する媒体搬送路を有し、前記媒体搬送路上を通過する媒体に画像形成を行い、（２）前記装置側コネクタは、前記媒体搬送路の下側で、前記媒体搬送路上の媒体搬送方向と交差する方向に、前記ケーブル側コネクタの挿入を受けるように配置されていることを特徴とする。
【０００８】
第２の本発明は、媒体を搬送する媒体搬送装置において、（１）媒体搬送路に媒体を搬送する媒体搬送手段と、（２）外部に繋がる電気信号ケーブルが持つケーブル側コネクタと接続する装置側コネクタと、（３）前記装置側コネクタを介して受け付けた電気信号を用いて前記媒体搬送手段を動作させる基盤とを有し、（４）前記装置側コネクタは前記装置側コネクタの鉛直上側に前記媒体搬送路の少なくとも一部が配置され、前記媒体搬送路の鉛直下側で前記ケーブル側コネクタを前記媒体搬送路の媒体搬送方向と交差する方向に着脱可能に配置されていることを特徴とする。
【発明の効果】
【０００９】
本発明によれば、より少ないスペースで設置可能な画像形成装置及び媒体搬送装置を提供することができる。
【図面の簡単な説明】
【００１０】
【図１】実施形態に係る画像形成装置に電源ケーブルを挿入した状態で示す斜視図（右後方から見た場合の斜視図）である。
【図２】実施形態に係る画像形成装置の概略断面図である。
【図３】実施形態に係る画像形成装置（筐体）を上側からみた場合の図（平面図）である。
【図４】実施形態に係る画像形成装置（筐体）を後側（背面）から見た場合の図（背面図）である。
【図５】実施形態に係る画像形成装置（筐体）を前側（正面）から見た場合の図（正面図）である。
【図６】実施形態に係る画像形成装置（筐体）を右側（第２の側面）から見た場合の図（右側面図）である。
【図７】実施形態に係る画像形成装置（筐体）を左側（第１の側面）から見た場合の図（左側面図）である。
【図８】図１のＡ−Ａ’線矢視断面図である。
【図９】実施形態に係る画像形成装置の斜視図（右後方から見た場合の斜視図）である。
【図１０】実施形態に係る画像形成装置（筐体）の後壁（背面）において凹部が形成された領域を示した図である。
【図１１】実施形態に係る画像形成装置の斜視図（左後方から見た場合の斜視図）である。
【図１２】実施形態に係る画像形成装置（筐体）の後壁（背面）に形成された張り出し部の構成について示した説明図である。
【図１３】実施形態に係る画像形成装置で背面カバーが開いた状態で示す斜視図（右後方から見た場合の斜視図）である。
【図１４】実施形態に係る電源基板と装置側コネクタとの間の配線構成について示した図である。
【発明を実施するための形態】
【００１１】
（Ａ）主たる実施形態
以下、本発明による画像形成装置及び媒体搬送装置の一実施形態を、図面を参照しながら詳述する。
【００１２】
（Ａ−１）実施形態の構成
図２は、画像形成装置１の概略断面図である。
【００１３】
画像形成装置１は、長尺の媒体としてのロール紙Ｐに印刷（画像形成）を行う装置である。
【００１４】
画像形成装置１は、ロール紙Ｐを印刷（画像形成）する画像形成手段１ａを有している。
【００１５】
画像形成手段１ａ（画像形成装置１）は、媒体としてのロール紙Ｐを収容する用紙収容部２６を有している。図２に示すように、用紙収容部２６は、画像形成装置１に上側に配設されている。図２に示すように、用紙収容部２６から繰り出されたロール紙Ｐは、画像形成装置１内で、媒体搬送路Ｒに添って搬送され、印刷処理後に用紙排出口２７から排出される。
【００１６】
画像形成手段１ａ（画像形成装置１）にはイエロー（以下、「Ｙ」とも表す）、マゼンタ（以下、「Ｍ」とも表す）、シアン（以下、「Ｃ」とも表す）の３色のトナー（現像剤）の各色に対応するトナー像（現像剤像）を形成するための画像形成部２（２Ｙ、２Ｍ、２Ｃ）が着脱可能に配置されている。画像形成部２Ｙ、２Ｍ、２Ｃは、媒体搬送路Ｒにそって並べて配置されている。
【００１７】
また、画像形成手段１ａ（画像形成装置１）は、トナー色ごとに対応する露光装置としてのＬＥＤヘッド３（３Ｙ、３Ｍ、３Ｃ）、及び転写ローラ１０（１０Ｙ、１０Ｍ、１０Ｃ）を有している。
【００１８】
さらに、画像形成手段１ａ（画像形成装置１）は、転写手段１００、搬送ローラ対１６〜１９、定着器２０、排出ローラ２４、及びカット部としての用紙カット部２５を有している。
【００１９】
搬送ローラ対１６〜１９は、用紙収容部２６から繰り出されたロール紙Ｐを、媒体搬送路Ｒに沿って画像形成部２（２Ｙ、２Ｍ、２Ｃ）まで搬送するローラである。媒体搬送路Ｒには、上流側から順に搬送ローラ対１６〜１９が配置されている。
【００２０】
用紙カット部２５は、媒体搬送路Ｒのロール紙Ｐを所定の長さでカット（切断）する切断手段である。この実施形態では、用紙カット部２５は、搬送ローラ対１８と搬送ローラ対１９との間に配置されている。
【００２１】
画像形成部２Ｙ、２Ｍ、２Ｃは、トナーの色が異なる以外は同じ構成であるため、以下では、代表して画像形成部２Ｙの構成について説明する。
【００２２】
画像形成部２Ｙは、感光体ドラム６と、感光体ドラム６に接して一様に帯電する帯電ローラ５と、静電潜像を現像してトナー像を形成する現像ローラ８と、現像ローラ８にトナーを供給するとともに摩擦帯電させる供給ローラ７と、供給ローラ７へ供給するトナーを貯蔵するトナーカートリッジ４と、感光体ドラム６の表面に残留したトナーを除去するクリーニングブレード９を有している。トナーカートリッジ４は画像形成部２Ｙに着脱可能に取り付けられる。
【００２３】
ＬＥＤヘッド３Ｙ、３Ｍ、３Ｃは、それぞれ画像形成部２Ｙ、２Ｍ、２Ｃの感光体ドラム６（帯電した状態の感光体ドラム６）の表面に選択的に光を照射して静電潜像を形成する。ＬＥＤヘッド３（３Ｙ、３Ｍ、３Ｃ）は、開閉可能な上面カバー８１に支持されている。
【００２４】
画像形成部２Ｙ、２Ｍ、２Ｃの感光体ドラム６に対向する位置（媒体搬送路Ｒを挟んで対向する位置）に、媒体搬送路Ｒを通過するロール紙Ｐにトナー像（画像形成部２Ｙ、２Ｍ、２Ｃの感光体ドラム６表面に形成されたトナー像）を転写する転写手段１００が配置されている。転写手段１００は、転写ローラ１０Ｃ、１０Ｍ、１０Ｙ、転写ベルト１１、転写ベルト駆動ローラ１２、転写ベルト従動ローラ１３、転写ベルトクリーニングブレード１４、及び転写ベルトクリーナー容器１５を含む要素により構成されている。転写ローラ１０Ｙ、１０Ｍ、１０Ｃは、転写ベルト１１の内側で画像形成部２Ｙ、２Ｍ、２Ｃ（感光体ドラム６）に対向する位置（媒体搬送路Ｒを挟んで対向する位置）に配置されている。転写ベルト１１は、転写ベルト駆動ローラ１２及び転写ベルト従動ローラ１３により張架されている。転写ベルト１１は、転写ベルト駆動ローラ１２の回転に伴って従動回転し、媒体搬送路Ｒ上のロール紙Ｐを搬送する。転写ローラ１０Ｙ、１０Ｍ、１０Ｃは、媒体搬送路Ｒを通過するロール紙Ｐに電圧（転写バイアス）を印加して画像形成部２Ｙ、２Ｍ、２Ｃ（感光体ドラム６）のトナー像を転写する。
【００２５】
転写ベルトクリーニングブレード１４は、転写ベルト１１表面のトナーを掻き落とすものである。転写ベルトクリーナー容器１５は、転写ベルトクリーニングブレード１４により掻き落とされたトナーを収容するものである。
【００２６】
定着器２０は、トナー像が転写されたロール紙Ｐに熱及び圧力を加えて、ロール紙Ｐに転写されたトナー像を定着させる処理（定着処理）を行う。定着器２０は、内部に熱源としてのヒータ２１ａを備えるヒートローラ２１と、図示しない付勢手段によりヒートローラ２１側に付勢された加圧ローラ２２とを有している。定着器２０では、ヒートローラ２１と加圧ローラ２２との間に形成されたニップ部にロール紙Ｐを通過させることで、ロール紙Ｐに熱及び圧力を加えることができる。
【００２７】
排出ローラ２４は、定着器２０から排出されたロール紙Ｐを更に下流側に搬送して、用紙排出口２７から排出させる。
【００２８】
図２に示すように、画像形成装置１を構成する各要素の大部分は、筐体５０内に内蔵されている。
【００２９】
以下では、図２の方から見て、用紙収容部２６及び用紙排出口２７が設けられている方向（図２の方向から見て左方向）を前方向（前側）と呼び、前方向（前側）と反対の方向（図２の方向から見て右方向）を後方向（後側）と呼ぶものとする。図２では、筐体５０の前側の壁を前壁５１、筐体５０の後側の壁を後壁５２と図示している。また、以下では、図２の方向から見て奥側を右方向（右側）と呼び、図２の方向から見て手前側を左方向（左側）と呼ぶものとする。
【００３０】
次に、画像形成装置１における電源系の構成について説明する。
【００３１】
図３〜図７は、それぞれ画像形成装置１を、上側（上方向）から見た場合の図（平面図）、後側（後方向）から見た場合の図（背面図）、前側（前方向；正面方向）から見た場合の図（正面図）、右側（右方向）から見た場合の図（右側面図）、左側（左方向）から見た場合の図（左側面図）である。
【００３２】
図３に示すように、以下では、筐体５０の左側面の壁を第１の側壁５３と表し、筐体５０の右側面の壁を第２の側壁５４と表す。
【００３３】
図８は、図３のＡ−Ａ’線矢視断面図（概略断面図）である。
【００３４】
画像形成装置１では、図８に示すように、筐体５０の底部５０ｂに電源としての商用電源４０に接続して電源供給を受ける電源部としての電源基板３１と、画像形成装置１の全体を制御する制御部３５と、高圧電源を発生させる高圧電源部３６とが配置されている。
【００３５】
図８に示すように筐体５０の底部５０ｂの左側に電源基板３１が配置（立設）され、筐体５０の底部５０ｂの右側に高圧電源部３６が配置（立設）されている。また、図８に示すように筐体５０の底部において、電源基板３１と高圧電源部３６との間に制御部３５が配置されている。さらに、筐体５０において、制御部３５の上方向で、かつ、電源基板３１と高圧電源部３６との間には転写手段１００が配置されている。そして、図８に示すように、転写手段１００の上方向には画像形成部２（図８では、画像形成部２Ｙ）が配置されている。
【００３６】
図８に示すように、電源基板３１は、転写手段１００及び画像形成部２（２Ｃ、２Ｍ、２Ｙ）よりも左側に配置されている。したがって、上述の図２は、図３におけるＢ−Ｂ’線矢視断面図に相当する。ただし、図２ではＢ−Ｂ’線よりも左側（図２の方向から見て手前側）に配置された電源基板３１等の構成については点線で図示している。図２では、点線で電源基板３１、装置側コネクタ３３、接続ケーブル３２１、３２２、３２３、及び冷却ファン７１が図示されている。
【００３７】
図２では、商用電源４０に接続された電源ケーブル３４が、装置側コネクタ３３に接続（挿入）されている。装置側コネクタ３３には、３つの接続ケーブル３２１、３２２、３２３が接続されている。接続ケーブル３２１、３２２は、電源基板３１に接続されている。また、接続ケーブル３２３は、筐体５０（フレームアース）に接続されている。
【００３８】
図９は、画像形成装置１の斜視図（後方向から見た場合の斜視図）である。
【００３９】
上述のように、画像形成装置１では、装置側コネクタ３３で、商用電源４０に接続された電源ケーブル３４と接続している。この実施形態では、装置側コネクタ３３は、いわゆるインレット型のＡＣ電源コネクタであるものとするが、装置側コネクタ３３の仕様や形状については限定されないものである。上述の通り、従来の画像形成装置では、電源ケーブルのコネクタが外側方向に張り出した状態となるが、この実施形態の画像形成装置１では、図９に示すように、後壁５２の下側に凹んだ凹部５６が形成されおり、その凹部５６の内側面に装置側コネクタ３３が設けられている。なお、詳細については後述するが、凹部５６は、後壁５２だけでなく、隣接する第１の側壁５３及び第２の側壁５４まで延在している。すなわち、凹部５６は、筐体５０上で、装置側コネクタ３３が設けられた面（後壁５２）だけでなく、隣接する面（第１の側壁５３及び第２の側壁５４）まで延在している。
【００４０】
そして、図９に示すように、装置側コネクタ３３は、媒体搬送路Ｒの直下の凹部５６内で、媒体搬送路Ｒと交差（直交）する方向（媒体搬送路Ｒに対して垂直の方向；左右方向）に挿抜可能となるように配置することができる。図９では、装置側コネクタ３３は、矢印Ａの方向に電源ケーブル３４（後述するケーブル側コネクタ３４１）が挿入可能に配置されている。言い換えると、装置側コネクタ３３は、媒体搬送路Ｒの直下の凹部５６内で、板形状の電源基板３１に対して垂直方向（厚さ方向；矢印Ａの方向）に電源ケーブル３４（後述するケーブル側コネクタ３４１）が挿入可能に配置されている。
【００４１】
図１は、電源ケーブル３４（ケーブル側コネクタ３４１）が接続された状態で示す画像形成装置１の斜視図（後方向から見た場合の斜視図）である。
【００４２】
図１に示すように、電源ケーブル３４は、装置側コネクタ３３に挿入（接続）するためのケーブル側コネクタ３４１と、ケーブル側コネクタ３４１から延在するケーブル部３４２を有している。電源ケーブル３４は、電源としての商用電源４０にも接続される。
【００４３】
図１に示すように、電源ケーブル３４のケーブル側コネクタ３４１は、装置側コネクタ３３に挿入された状態でも、全体が凹部５６内に留まり、後壁５２より後ろ側に張り出すことはない。そして、ケーブル側コネクタ３４１から延在するケーブル部３４２は、凹部５６にそって配線可能となっている。すなわち、凹部５６は、ケーブル側コネクタ３４１を収容するコネクタ収容部としての機能と、ケーブル部３４２を後壁５２から、隣接する第２の側壁５４側に配線する配線経路としての機能を担っている。
【００４４】
図１０は、画像形成装置１の筐体５０（後壁５２）に形成された凹部５６の形状（開口部の形状）について示した説明図である。
【００４５】
図１０では、筐体５０の背面図上で、凹部５６の開口部に対応する領域に斜線（ハッチ）を付している。
【００４６】
図１０に示すように、凹部５６は、後壁５２から第１の側壁５３及び第２の側壁５４まで延在している。以上のように、凹部５６は、電源ケーブル３４のケーブル部３４２を装置側コネクタ３３から第２の側壁５４まで配線（収容）する配線経路（ケーブル収容部）を形成している。
【００４７】
これにより、画像形成装置１では、図１に示すように、ケーブル側コネクタ３４１及び電源ケーブル３４を凹部５６の内部空間（後壁５２よりも前方側の空間）に収容する。したがって、画像形成装置１は、設置する際に、設置場所の壁に後壁５２を接触するようにしても（設置場所の壁にぴったりくっつけても）、ケーブル側コネクタ３４１及び電源ケーブル３４が後壁５２に接触させた壁（画像形成装置１の設置場所の壁）と干渉することを防ぎ、電源ケーブル３４の配線を容易としている。
【００４８】
次に、電源基板３１を冷却する構成について説明する。
【００４９】
電源基板３１に実装されている部品の中には発熱するものがあり、劣化や破損を防止するため、筐体５０内を冷却（換気）する必要がある。そのため、画像形成装置１では、冷却ファン７１を用いて、筐体５０内（特に電源基板３１の周囲の空間）を換気して、電源基板３１等を冷却（温度上昇を抑制）するように構成されている。
【００５０】
図２に示すように冷却ファン７１は、電源基板３１の前側に配置されている。この実施形態では、冷却ファン７１は、筐体５０内で、後ろ側（後壁５２側）から前方向（前壁５１側）に向かって空気が流れるように回転するものとして説明するが、冷却ファン７１の回転方向は逆でも良い。また、冷却ファン７１の配置位置や、冷却ファン７１の数についても限定されないものである。
【００５１】
図５に示すように、前壁５１には、冷却ファン７１が配置された位置に複数の通気孔で構成された通気用多孔（前側通気用多孔５８）が設けられている。また、図４に示すように、後壁５２にも電源基板３１に対応する位置（冷却ファン７１に対応する位置）に複数の通気孔で構成された通気用多孔（後側通気用多孔５９）が設けられている。さらに、図７に示すように、第２の側壁５４の後ろ側の端の電源基板３１に対応する位置（下側の端）にも、複数の通気孔で構成された通気用多孔（側面通気用多孔６０）が設けられている。
【００５２】
したがって、冷却ファン７１の動作に伴い、後壁５２の後側通気用多孔５９、及び第１の側壁５３から吸気された空気が、電源基板３１の周囲を通って前壁５１の前側通気用多孔５８から排気されることになる。
【００５３】
図１０に示すように、凹部５６は、後壁５２から第１の側壁５３まで延在している。
【００５４】
図１１は、画像形成装置１（筐体５０）を、左側後方からみた場合の斜視図である。
【００５５】
図１１に示すように、凹部５６は、後壁５２から第１の側壁５３の側面通気用多孔６０を含む領域までつながっている（延在している）。すなわち、第１の側壁５３において、側面通気用多孔６０は、凹部５６の底面の領域（凹部５６の内部）に配置されている。言い換えると、側面通気用多孔６０は、第１の側壁５３の外面から凹んだ位置（第１の側壁５３の外面から右方向の位置）に配置されている。
【００５６】
したがって、画像形成装置１が設置された際に、設置場所の壁に第１の側壁５３を接触するようにしても（設置場所の壁にぴったりくっつけても）、側面通気用多孔６０は、凹部５６内（第１の側壁５３の外面から凹んだ位置）に配置されているため、側面通気用多孔６０による通気（吸気／排気）を妨げない。
【００５７】
また、図１１に示すように、凹部５６内において、後側通気用多孔５９が配置された部分は、凹部５６の下端に形成された底部５６ａから張り出した形状となっている。図１１では、この凹部５６内で底部５６ａから張り出した部分（後側通気用多孔５９が形成された部分）を張り出し部５７と図示している。
【００５８】
図１２は、張り出し部５７の形状の詳細について示した図である。
【００５９】
図１２（ａ）は、左側（第１の側壁５３側）から張り出し部５７を見た場合の図である。また、図１２（ｂ）は、後側（後壁５２側）から張り出し部５７を見た場合の図である。
【００６０】
図１１、図１２に示すように、後側通気用多孔５９は、張り出し部５７の後ろ側の面（後面５７ａ）及び張り出し部５７の下側の面（下面５７ｂ）に渡って形成されている。さらに、張り出し部５７の左側の側面（第１の側壁５３側の部分）に側面通気用多孔６０が形成された状態となっている。すなわち、張り出し部５７には３面にわって通気用多孔が形成されている。
【００６１】
図１２（ａ）に示すように、張り出し部５７は、凹部５６の底部５６ａから後方に寸法ｄの分張り出した形状となっている。この実施形態では、張り出し部５７の下面５７ｂは、上方向に傾斜した斜面（テーパ形状）となっている。
【００６２】
図１２に示すように、凹部５６内では、張り出し部５７を設けることで、張り出し部５７の下側に空間Ｓ１が形成されることになる。言い換えると、この空間Ｓ１からみると張り出し部５７の下面５７ｂの部分はオーバーハングした形状となる。
【００６３】
このように、凹部５６内において、張り出し部５７を設け、張り出し部５７に通気用多孔（後側通気用多孔５９、側面通気用多孔６０）を設けることで、後壁５２及び第１の側壁５３を設置場所の壁に接触した状態としても（設置場所の壁にぴったりくっつけても）、十分なエアフロー（空気の流れ；通気経路）を確保することができる。特に、張り出し部５７の下方向に空間Ｓ１を設けているため、より多くのエアフローを確保することができる。
【００６４】
以上のように、画像形成装置１では、電源基板３１を冷却するように構成されている。
【００６５】
次に、装置側コネクタ３３の周辺の構成について説明する。
【００６６】
後壁５２において、装置側コネクタ３３の上方（直上）には、開閉可能な背面カバー８２が配置されている。
【００６７】
図２に示すように、背面カバー８２には、媒体搬送路Ｒ上で搬送ローラ対１８から搬送ローラ対１９までを含む区間の構成が一体として収容されている。
【００６８】
背面カバー８２は、下側に設けられた回転軸８２ａを中心に回転自在に構成されている。背面カバー８２が、閉状態（図２に示す状態）から、回転軸８２ａを中心として後ろ側に回転すると開状態となる。
【００６９】
図１３は、画像形成装置１（筐体５０）において、背面カバー８２が開状態となった状態で示す斜視図（後方左側からみた場合の斜視図）である。
【００７０】
図１３に示すように、ユーザの操作により、背面カバー８２が開状態となると、媒体搬送路Ｒの搬送ローラ対１７から画像形成部２Ｙまでの区間の機構が露出してユーザによりアクセス可能となる。画像形成装置１では、このような背面カバー８２を設けることにより、媒体搬送路Ｒ上に残留したロール紙Ｐ（例えば、用紙ジャム等により残留したロール紙Ｐ）の取り出し（ユーザの操作による取り出し）等が可能となる。
【００７１】
電源基板３１及び電源基板３１に接続される構成要素は、媒体搬送路Ｒを避けて配置する必要がある。また、媒体搬送路Ｒの上方向にも、画像形成手段１ａの保守上必要なため、開閉可能な上面カバー８１が配置されている。したがって、画像形成装置１では、媒体搬送路Ｒを妨げない位置に電源基板３１及び電源基板３１に接続される構成要素が配置される必要がある。したがって、画像形成装置１において、省スペース化のためには、装置側コネクタ３３を媒体搬送路Ｒ（背面カバー８２）の下方向（下側；鉛直下側）に配置することが望ましい。ただし、上方向又は下方向に電源ケーブル３４を挿入可能となるように装置側コネクタ３３を配置すると、今度は電源ケーブル３４（ケーブル側コネクタ３４１）が媒体搬送路Ｒ（背面カバー８２）や設置場所の設置面と干渉するおそれがある。そのため、省スペース化のためには、媒体搬送路Ｒを構成する背面カバー８２との位置関係上、装置側コネクタ３３は、媒体搬送路Ｒと交差（直交）する方向（左右方向；例えば、図９に示す矢印Ａの方向）に電源ケーブル３４（ケーブル側コネクタ３４１）を挿入可能とするように配置することが好適となる。
【００７２】
図１４は、電源基板３１と装置側コネクタ３３との間の配線構成について示した図である。図１４は、筐体５０の内部で、左側（第１の側壁５３の側）から電源基板３１と装置側コネクタ３３を見た場合の図となっている。
【００７３】
図１４に示すように、電源基板３１では、左側の面に装置側コネクタ３３と接続するためのコネクタ３１１が設けられている。コネクタ３１１には、装置側コネクタ３３と接続するための２つの端子３１１ａ、３１１ｂが設けられている。
【００７４】
また、図９に示すように、装置側コネクタ３３には、左側の面（装置側コネクタ３３の固定ハウジング３３１に対して電源ケーブル３４をＡ方向に挿入する側と反対の面）に電源基板３１及びアース（筐体５０に設けられたフレームアースに対応するフレーム板金５０ａ）に接続するための固定ハウジング３３１（端子３３１ａ、３３１ｂ、３３１ｃ）が設けられている。
【００７５】
ここでは、図１４に示すように、電源基板３１（コネクタ３１１）の端子３１１ａと装置側コネクタ３３（固定ハウジング３３１）の端子３３１ａとが接続ケーブル３２１で接続されている。また、電源基板３１（コネクタ３１１）の端子３１１ｂと装置側コネクタ３３（固定ハウジング３３１）の端子３３１ｂとが接続ケーブル３２２で接続されている。さらに、電源基板３１（コネクタ３１１）の端子３３１ｃと、筐体５０に設けられたフレームアースに対応するフレーム板金５０ａとが接続ケーブル３２３で接続されている。接続ケーブル３２１、３２２、３２３の両端は、例えば、ハンダやネジ等により固定される。
【００７６】
電源基板３１と装置側コネクタ３３との間の接続に用いられる接続ケーブル３２１、３２２は、画像形成装置１全体の電力供給を受けるため抵抗の少ない太い径のケーブルを用いる必要がある。したがって、接続ケーブル３２１、３２２を配線する際には、可能な限り折り曲げ半径を大きく取ることが望ましい。ただし、画像形成装置１（筐体５０）には可能な限り省スペース（小型）であることが求められるため、省スペース化と配線経路の確保を両立する必要がある。
【００７７】
画像形成装置１では、上述の通り、装置側コネクタ３３を、媒体搬送路Ｒと交差する方向（左右方向；例えば、図９に示す矢印Ａの方向）に電源ケーブル３４（ケーブル側コネクタ３４１）の挿入が可能となるように配置している。画像形成装置１では、上述のように装置側コネクタ３３を配置することで、電源基板３１の左側の面に配置されたコネクタ３１１から、装置側コネクタ３３の左側の面に配置された固定ハウジング３３１までを接続ケーブル３２１、３２２で接続すれば良いため、短い配線経路で、かつ接続ケーブル３２１、３２２を折り曲げる度合（量）を少なくすること（大きな折り曲げ半径での配線）を実現している。
【００７８】
図１４では、電源基板３１の後ろ側の端から筐体５０（後壁５２）の後端（後端の内面）までの寸法（前後方向の寸法）をＬ１と図示している。
【００７９】
上述の通り、画像形成装置１では、上述のように装置側コネクタ３３を配置することで、寸法Ｌ１（筐体５０の前後方向（奥行き）の寸法）を短くすることができる。言い換えると、画像形成装置１では、上述のように装置側コネクタ３３を配置することで、装置側コネクタ３３を電源基板３１の直近に配設することができるため、寸法Ｌ１（筐体５０の前後方向（奥行き）の寸法）を短くしても接続ケーブル３２１、３２２の配線に支障がない。すなわち、画像形成装置１では、上述のように装置側コネクタ３３を配置することで、画像形成装置１（筐体５０）をより小型に構成することができる。仮に、装置側コネクタ３３で電源ケーブル３４（ケーブル側コネクタ３４１）が挿入される方向が前後方向（媒体搬送路Ｒと並行する方向）となるように配置した場合、装置側コネクタ３３の寸法及び接続ケーブル３２１、３２２の取り回しに必要な寸法を考慮すると、必要となる寸法Ｌ１はより長くなる。例えば、画像形成装置１では、上述のように装置側コネクタ３３を配置することで、上述の寸法Ｌ１を２５ｍｍ〜３０ｍｍ程度に抑えることが可能となる。
【００８０】
以上のように、この実施形態の画像形成装置１では、媒体搬送路Ｒ、及び媒体搬送路Ｒ上で媒体としてのロール紙Ｐを搬送するための媒体搬送手段により媒体搬送装置が構成されている。この実施形態の媒体搬送装置における媒体搬送手段は、例えば、転写ベルト１１、転写ベルト駆動ローラ１２、転写ベルト従動ローラ１３、搬送ローラ対１６〜１９、及び電源基板３１（基盤）等を用いて構成することができる。
【００８１】
（Ａ−２）実施形態の動作
次に、以上のような構成を有するこの実施形態の画像形成装置１の動作を説明する。
【００８２】
まず、図２を用いて、画像形成装置１で印刷が行われる場合の動作について説明する。
【００８３】
画像形成装置１は、定着器２０のヒートローラ２１をサーミスタ２３の検知値に応じて、ヒータ２１ａを制御し所定温度にした後、印刷動作を開始する。
【００８４】
各画像形成部２Ｃ、２Ｍ、２Ｙにおいて、感光体ドラム６が図示しないドラムモータによって回転させられ、感光体ドラム６の表面が、帯電ローラ５によって一様に帯電される。各ＬＥＤヘッド３Ｃ，３Ｍ、３Ｙによって、各各画像形成部２Ｃ、２Ｍ、２Ｙの感光体ドラム６の表面が照射され、感光体ドラム６の表面に静電潜像が形成される。そして、現像ローラ８上のトナーが静電潜像に付着させられ、静電潜像が現像されてトナー像が形成される。そして、ロール紙Ｐは搬送ローラ対１６〜１８によって媒体搬送路Ｒに沿って搬送され、用紙カット部２５に送られる。用紙カット部２５により所定長さにカットされたロール紙Ｐは、搬送ローラ対１９によって転写ベルト１１上に搬送される。そして、転写ベルト１１上のロール紙Ｐが、感光体ドラム６と転写ローラ１０を通過するタイミングで、転写ローラ１０に電圧が印加され感光体ドラム６上のトナー像がロール紙Ｐに転写される。そして、トナー像が転写されたロール紙Ｐは、定着器２０によって定着され排出ローラ２４によって装置本体外に排出される。
【００８５】
以上のように、画像形成装置１は、印刷動作を行う。
【００８６】
画像形成装置１による印刷動作を継続すると、電源基板３１も発熱し続けることになるが、上述の通り、冷却ファン７１の動作に伴い、筐体５０内の空気が換気され、電源基板３１の温度上昇が抑制（冷却）される。具体的には、画像形成装置１では、上述の通り、冷却ファン７１の動作に伴い、後壁５２の後側通気用多孔５９、及び第１の側壁５３の側面通気用多孔６０から吸気された空気が、電源基板３１の周囲を通って前壁５１の前側通気用多孔５８から排気される。
【００８７】
（Ａ−３）実施形態の効果
この実施形態によれば、以下のような効果を奏することができる。
【００８８】
（Ａ−３−１）この実施形態の画像形成装置１では、図１に示すように、ケーブル側コネクタ３４１及び電源ケーブル３４を、媒体搬送路Ｒの下側（鉛直下側）に設けられた凹部５６の内部空間（後壁５２よりも前方側の空間）に収容する。また、画像形成装置１では、媒体搬送路Ｒの下側に設けられた凹部５６の内側面に、装置側コネクタ３３を、媒体搬送路Ｒと交差する方向（左右方向；例えば、図９に示す矢印Ａの方向）に電源ケーブル３４（ケーブル側コネクタ３４１）の挿入（抜取）が可能となるように配置している。これにより、画像形成装置１では、設置する際に、設置場所の壁に後壁５２を接触するようにしても（設置場所の壁にぴったりくっつけても）、ケーブル側コネクタ３４１及び電源ケーブル３４が後壁５２に接触させた壁（画像形成装置１の設置場所の壁）と干渉することを防ぎ、電源ケーブル３４の配線を容易としている。
【００８９】
また、画像形成装置１では、装置側コネクタ３３を、媒体搬送路Ｒと交差する方向（左右方向；例えば、図９に示す矢印Ａの方向）に電源ケーブル３４（ケーブル側コネクタ３４１）の挿入（抜取）が可能となるように配置することで、装置側コネクタ３３を電源基板３１の直近に配設することができる。これにより、画像形成装置１では、画像形成装置１（筐体５０）をより小型に構成することができる。
【００９０】
（Ａ−３−２）この実施形態の画像形成装置１では、凹部５６は、側面通気用多孔６０を含む領域まで延在している。したがって、画像形成装置１が設置された際に、設置場所の壁に第１の側壁５３を接触するようにしても（設置場所の壁にぴったりくっつけても）、側面通気用多孔６０は、凹部５６内（第１の側壁５３の外面から凹んだ位置）に配置されているため、側面通気用多孔６０による通気（吸気／排気）を妨げない。すなわち、画像形成装置１では、側面（側面通気用多孔６０が設けられた第１の側壁５３）を設置場所の壁に接触するようにしても（設置場所の壁にぴったりくっつけても）、筐体５０内の換気性能（冷却性能）低減を抑制することができる。
【００９１】
さらにまた、この実施形態の画像形成装置１では、凹部５６内において、張り出し部５７を設け、張り出し部５７の複数面に通気用多孔（後側通気用多孔５９、側面通気用多孔６０）を設けることで、後壁５２及び第１の側壁５３を設置場所の壁に接触した状態としても（設置場所の壁にぴったりくっつけても）、十分なエアフロー（空気の流れ；通気経路）を確保し、筐体５０内の換気性能（冷却性能）低減を抑制することができる。特に、張り出し部５７の下方向に空間Ｓ１を設けているため、より多くのエアフローを確保することができる。さらに、張り出し部５７の下面５７ｂを上方向に傾斜したテーパ形状とすることで（オーバーハングした形状とすることで）空間Ｓ１をより大きく確保することが可能となる。
【００９２】
以上のように、画像形成装置１は、後壁５２及び第１の側壁５３が、設置場所の壁にぴったりくっつけて配置されても、筐体５０内の換気性能（冷却性能）の低減を抑制することができ、温度上昇に伴う部品破損等を防ぐことができる。
【００９３】
（Ａ−３−３）以上のように、画像形成装置１では、凹部５６は、電源ケーブル３４のケーブル側コネクタ３４１を収容するコネクタ収容部としての機能と、電源ケーブル３４のケーブル部３４２を配線する配線経路としての機能を担っている。さらに、画像形成装置１では、凹部５６を、筐体５０内を換気して冷却するための通気経路（エアフローの経路）としての機能も担わせている。すなわち、画像形成装置１では、凹部５６を、電源ケーブル３４を収容する機能（コネクタ収容部及び配線経路の機能）と、通気経路の機能とで共用させることで、効率的なスペース利用（装置の小型化）を実現している。
【００９４】
（Ｂ）他の実施形態
本発明は、上記の実施形態に限定されるものではなく、以下に例示するような変形実施形態も挙げることができる。
【００９５】
（Ｂ−１）上記の実施形態では、本発明の画像形成装置をプリンタに適用した例について説明したが、その他の画像形成装置（例えば、コピー機、ＦＡＸ、複合機など）に適用するようにしてもよい。また、上記の実施形態では、本発明の画像形成装置を、タンデム方式のカラー３色プリンタに適用する例について説明したが、画像形成手段１ａの具体的構成は限定されないものであり、例えば、カラー４色以上のプリン夕、モノクロプリンタ等に適用するようにしてもよい。
【００９６】
また、上記の実施形態では、媒体としてロール紙Ｐ（長尺媒体）を適用する例について説明したが、本発明の画像形成装置に適用する媒体の形状や、媒体を供給する構成については限定されないものである。
【００９７】
（Ｂ−２）上記の実施形態では、図２、図１４等に示すように、電源基板３１に装置側コネクタ３３を接続した構成となっているが、装置側コネクタ３３のレイアウトが変わらなければ、電源基板３１自体に装置側コネクタ３３を組み込んだ構成（電源基板３１上に装置側コネクタ３３が配置された構成）としてもよい。
【００９８】
（Ｂ−３）上記の実施形態では、凹部５６内に配置するコネクタとして、電源ケーブル３４の挿入を受ける装置側コネクタ３３を例に説明したが、電源ケーブル３４に限らず画像形成装置１が備える他のケーブル（画像形成手段１ａに関連する他のコネクタ付きケーブル）の挿入を受ける装置側コネクタについて、上記の実施形態の装置側コネクタ３３と同様に配置するようにしても、上記の実施形態と同様の効果を奏することができる。例えば、ＵＳＢケーブルやイーサネット（登録商標）ケーブル等の他のコネクタ付きケーブルの挿入を受ける装置側コネクタについて、上記の実施形態の装置側コネクタ３３と同様に、媒体搬送路Ｒの下側に設けられた凹部５６の内側面で媒体搬送路Ｒと交差する方向（左右方向；例えば、図９に示す矢印Ａの方向）にケーブルの挿入（抜取）が可能となるように配置するようにしてもよい。また、例えば、上記の実施形態において、装置側コネクタ３３と並列に、その他のケーブルの装置側コネクタを配置するようにしてもよい。
【００９９】
（Ｂ−４）上記の実施形態では、電源基板３１が左側に配置されているが、電源基板３１を右側に配置した構成としてもよい。その場合、張り出し部５７や装置側コネクタ３３等の電源基板３１に関連する構成についても左右対称に配置（上記の実施形態と比較して左右対称に配置）する必要がある。
【符号の説明】
【０１００】
画像形成装置…１、画像形成手段…１ａ、画像形成部…２、画像形成部…２Ｃ、２Ｍ、２Ｙ、ＬＥＤヘッド…３Ｃ、３Ｍ、３Ｙ、トナーカートリッジ…４、帯電ローラ…５、感光体ドラム…６、供給ローラ…７、現像ローラ…８、クリーニングブレード…９、転写ローラ…１０Ｃ、１０Ｍ、１０Ｙ、転写ベルト…１１、転写ベルト駆動ローラ…１２、転写ベルト従動ローラ…１３、転写ベルトクリーニングブレード…１４、転写ベルトクリーナー容器…１５、搬送ローラ対…１６、搬送ローラ対…１７、搬送ローラ対…１８、搬送ローラ対…１９、定着器…２０、ヒートローラ…２１、加圧ローラ…２２、サーミスタ…２３、排出ローラ…２４、用紙カット部…２５、用紙収容部…２６、用紙排出口…２７、電源基板…３１、装置側コネクタ…３３、電源ケーブル…３４、制御部…３５、高圧電源部…３６、商用電源…４０、筐体…５０、フレーム板金…５０ａ、底部…５０ｂ、前壁…５１、後壁…５２、第１の側壁…５３、第２の側壁…５４、凹部…５６、底部…５６ａ、張り出し部…５７、後面…５７ａ、下面…５７ｂ、前側通気用多孔…５８、後側通気用多孔…５９、側面通気用多孔…６０、冷却ファン…７１、上面カバー…８１、背面カバー…８２、回転軸…８２ａ、転写手段…１００、固定板金…３１１、端子…３１１ａ、３１１ｂ、接続ケーブル…３２１、３２２、３２３、固定板金…３３１、端子…３３１ａ、３３１ｂ、３３１ｃ、ケーブル側コネクタ…３４１、ケーブル部…３４２、ロール紙…Ｐ、媒体搬送路…Ｒ。
【図１】
2018134752.tif 000003
【図２】
2018134752.tif 000004
【図３】
2018134752.tif 000005
【図４】
2018134752.tif 000006
【図５】
2018134752.tif 000007
【図６】
2018134752.tif 000008
【図７】
2018134752.tif 000009
【図８】
2018134752.tif 000010
【図９】
2018134752.tif 000011
【図１０】
2018134752.tif 000012
【図１１】
2018134752.tif 000013
【図１２】
2018134752.tif 000014
【図１３】
2018134752.tif 000015
【図１４】
2018134752.tif 000016